(57)【要約】【課題】製造コストの低減化を図る。【解決手段】本発明は、チューブ２及びフィンから成るコア３と、チューブ２の端部に設けられたヘッダプレート４と、ヘッダプレート４に嵌着されたタンク５とを有するラジエータの取付構造であって、タンク５の両端部に取付けられると共にコア３側の部材に取付けられるサイドプレート１１と、サイドプレート１１に装着可能な汎用セットナット１２とを備えていることを特徴とし、切削部品や鍛造部品を使用する必要がなく、サイドプレート１１に汎用セットナット１２を装着させることにより、ラジエータを取付けることができるため、組立て及び製造作業が簡素化され、製造コストの低減が可能となる。【選択図】  図１
2006347186.tif 000002
【特許請求の範囲】
【請求項１】
チューブ及びフィンから成るコアと、前記チューブの端部に設けられたヘッダプレートと、該ヘッダプレートに嵌着されたタンクとを有するラジエータの取付構造であって、
前記タンクの両端部に取付けられると共に前記コア側の部材に取付けられるサイドプレートと、該サイドプレートに装着可能な汎用セットナットとを備えていることを特徴とするラジエータの取付構造。
【発明の詳細な説明】
【０００１】
【発明の属する技術分野】
本発明は、自動車、建設機械等において使用されるラジエータの取付構造に関する。
【０００２】
【従来の技術】
一般に、自動車、建設機械等には、エンジンから発生する熱を最適な状態に制御するために、ラジエータが設けられている。図８に示されているように、従来のラジエータ１は、チューブ２及びフィン（図示せず）から成るコア３と、チューブ２の端部に設けられたヘッダプレート４と、ヘッダプレート４に嵌着されたタンク５とから概略構成されている。そして、タンク５の両端部には雌ネジ６が螺刻されたボス７が埋め込まれ、ボス７はタンク５に一体ロウ付けされ、ボス７にボルト（図示せず）等を螺合することにより、ラジエータ１が所定箇所に固定されるようになっている。また、タンク５の両端部には、その開口端８を閉塞するようにサイドプレート９が設けられ、サイドプレート９がコア３の両側に設けられたコアサポート（図示せず）に結合されることにより、タンク５がコア３側に固定されるようになっている。（公知・公用の従来技術に基づき発明したため、本発明に関連する先行技術文献を出願人は知らない）。
【０００３】
【発明が解決しようとする課題】
しかしながら、上記した従来のラジエータの取付構造では、ボス７に雌ネジ６を螺刻し、さらに、そのボス７をタンク５に埋め込むために、切削加工や鍛造加工を行う必要があり、製造に手間が掛かっていた。したがって、製造コストの低減が図り難いといった問題があった。
【０００４】
本発明は、上記課題を解決すべくなされたものであり、製造コストの低減化を図ることのできるラジエータの取付構造を提供するものである。
【０００５】
【課題を解決するための手段】
本発明は、チューブ及びフィンから成るコアと、前記チューブの端部に設けられたヘッダプレートと、該ヘッダプレートに嵌着されたタンクとを有するラジエータの取付構造であって、前記タンクの両端部に取付けられると共に前記コア側の部材に取付けられるサイドプレートと、該サイドプレートに装着可能な汎用セットナットとを備えていることを特徴とする。
【０００６】
そして、本発明によれば、切削部品や鍛造部品を使用する必要がなく、サイドプレートに汎用セットナットを装着させることにより、ラジエータを取付けることができるため、組立て及び製造作業が簡素化され、製造コストの低減が可能となる。
【０００７】
【発明の実施の形態】
以下、図面を参照しつつ、本発明の実施の形態を説明する。図１〜７は本発明の実施の形態に係るラジエータの取付構造を示している。なお、上記した従来例と同様の構成については、説明の簡略化のため、図１及び図７中、図８と同一の符号を付し、それらの構成に関する詳細な説明は省略する。
【０００８】
本実施の形態において、ラジエータの取付構造は、図１に示されているように、サイドプレート１１と汎用セットナット１２とにより構成されている。
【０００９】
図２〜図５に良く示されているように、サイドプレート１１は、タンク５の開口端８（図１参照）を閉塞可能に形成されたコア側プレート部１３と、コア側プレート部１３から直角に屈曲されたセットナット取付プレート部１４と、セットナット取付プレート部１４からさらに直角に屈曲されたタンク側プレート部１５とから構成されている。図３に示されているように、コア側プレート部１３には、端部に所要数、例えば、２個の係止孔１６が穿設され、中央部の所要箇所、例えば、２箇所に掛止部１７が形成されている。また、図４に示されているように、セットナット取付プレート部１４には、所要数、例えば、２個の丸孔１８が穿設され、その両側には切欠部１９がそれぞれ形成されている。さらに、図５に示されているように、タンク側プレート部１５の端部には爪部２０が、所要数、例えば、２個形成され、各爪部２０にそれぞれ掛止部２１が形成されている。
【００１０】
図６に良く示されているように、汎用セットナット１２は、扁平なコの字状に形成され、バネ性を有するクランプ部２２と、クランプ部２２に突設されたナット部２３とから構成され、ナット部２３には雌ネジ２４が螺刻されている。また、クランプ部２２の、雌ネジ２４に対応する位置には、丸孔２５が穿設され、丸孔２５の周囲に楔形のストッパ部２６が形成されている。さらにまた、クランプ部２の端部は外側に屈曲し、誘導部２７を形成している。
【００１１】
このようなラジエータの取付構造を組立てるには、セットナット取付プレート部１４の各切欠部１９側からそれぞれ汎用セットナット１２をサイドプレート１１に挿入し、クランプ部２２によりセットナット取付プレート部１４を挟持させる。そうすると、ストッパ部２６がセットナット取付プレート部１４の丸孔１８に掛止し、汎用セットナット１２はサイドプレート１１に確実に固定される。この時、ストッパ部２６が楔形を成し、さらに、クランプ部２２に誘導部２７が形成されているため、汎用セットナット１２のサイドプレート１１への取付作業は円滑に行うことができる。
【００１２】
次に、上記したように２個の汎用セットナット１２をセットナット取付プレート部１５に装着した状態で、各掛止部１７，２１をタンク５に掛止させ、さらに、コア３の両側に設けられたコアサポート（図示せず）をコア側プレート部１３の係止孔１６に係止させる。これにより、サイドプレート１１がタンク５に確実に固定され、汎用セットナット１２がタンク５に沿った所定位置に配置され、また、タンク５はサイドプレート１１を介して前記コアサポートに確実に固定される。
【００１３】
なお、サイドプレート１１の形状は上記した形状に限定されるものではなく、例えば、図７に示すように、平板形状とし、汎用セットナット１２がタンク５に対して垂直に配置されるようにしてもよい。
【００１４】
また、サイドプレート１１はコア側のヘッダプレート４に係止するように設けられてもよい。
【００１５】
【発明の効果】
以上述べた如く本発明によれば、切削部品や鍛造部品を使用する必要がなく、サイドプレートに汎用セットナットを装着させることにより、ラジエータを取付けることができるため、組立て及び製造作業が簡素化され、製造コストの低減が可能となる等種々の優れた効果を得ることができる。
【図面の簡単な説明】
【図１】  本発明の実施の形態に係るラジエータの取付構造を示す断面図である。
【図２】  本発明の実施の形態におけるサイドプレートを示す正面図である。
【図３】  本発明の実施の形態におけるサイドプレートを示す側面図である。
【図４】  本発明の実施の形態におけるサイドプレートを示す平面図である。
【図５】  本発明の実施の形態におけるサイドプレートを示す側面図である。
【図６】  本発明の実施の形態における汎用セットナットを示す側面図である。
【図７】本発明の実施の形態に係るラジエータの取付構造の別の実施例を示す断面図である。
【図８】  従来例を示す断面図である。
【符号の説明】
１１          サイドプレート
１２          汎用セットナット
【図１】
2006347186.tif 000003
【図２】
2006347186.tif 000004
【図３】
2006347186.tif 000005
【図４】
2006347186.tif 000006
【図５】
2006347186.tif 000007
【図６】
2006347186.tif 000008
【図７】
2006347186.tif 000009
【図８】
2006347186.tif 000010